(57)【要約】【課題】サービスを提供する方法及びそのデバイスを提供する。【解決手段】無線通信を利用してサービスを提供する方法及びそのデバイスに係り、該サービスを提供する装置は、外部デバイスから、外部デバイスを利用して再生された少なくとも１つのコンテンツに係わる情報を受信する無線通信部、及び受信された情報に係わるサービスをサーバに要請し、要請されたサービスを利用するための客体をサーバから受信し、受信された客体を、出力部を介して出力する制御部と、を含む。【選択図】図１
2014149831.tif 000002
【特許請求の範囲】
【請求項１】
外部デバイスとコンテンツ情報を共有するデバイスにおいて、
外部デバイスから、再生中である少なくとも１つのコンテンツに係わる情報を受信する無線通信部と、
前記少なくとも１つのコンテンツと係わるサービスを利用するための客体を、サーバに要請し、前記客体を前記サーバから受信する制御部と、
前記受信された客体を出力する出力部と、を含み、
前記制御部は、前記少なくとも１つのコンテンツに係わる情報を、前記サーバに伝送することによって、前記客体を要請し、
前記受信された客体は、前記要請に対する応答として、前記サーバによって生成された客体を含むデバイス。
【請求項２】
前記制御部は、
前記デバイスにインストールされたアプリケーションのうち、前記少なくとも１つのコンテンツを再生するアプリケーションを決定し、
前記少なくとも１つのコンテンツに係わる情報は、
前記決定されたアプリケーションを識別する情報を含むことを特徴とする請求項１に記載のデバイス。
【請求項３】
前記制御部は、
前記デバイスにインストールされたアプリケーションに係わる情報を、前記サーバに伝送し、前記サーバを利用して、前記少なくとも１つのコンテンツを再生するアプリケーションを決定することを特徴とする請求項２に記載のデバイス。
【請求項４】
前記制御部は、
前記少なくとも１つのコンテンツに対する利用権限があるユーザのサービスアカウントを確認し、前記確認されたサービスアカウントを利用して、ログインすることができるサービスを利用するための客体を、サーバに要請することを特徴とする請求項１に記載のデバイス。
【請求項５】
前記少なくとも１つのコンテンツに係わる情報は、
前記外部デバイスを利用して再生された少なくとも１つのコンテンツに係わるタグ情報であることを特徴とする請求項１に記載のデバイス。
【請求項６】
前記無線通信部は、
前記少なくとも１つのコンテンツに係わる情報を含むパケットを受信し、
前記パケットは、
前記外部デバイスから、近距離無線通信を利用して、ブロードキャストされたものであり、
前記制御部は、
前記パケットから、前記少なくとも１つのコンテンツに係わる情報を抽出することを特徴とする請求項１に記載のデバイス。
【請求項７】
前記少なくとも１つのコンテンツに係わる情報は、
前記外部デバイスから、前記近距離無線通信を介してブロードキャストされるＳＳＩＤ（service set identifier）またはＶＳＩＥ（vendor specific information element）に挿入されていることを特徴とする請求項６に記載のデバイス。
【請求項８】
前記制御部は、
前記少なくとも１つのコンテンツに対する利用権限があるユーザのサービスアカウントを確認し、前記少なくとも１つのコンテンツに対する利用権限があるユーザのサービスアカウントがない場合、利用権限購入のためのユーザ・インターフェースを、前記出力部を介して出力することを特徴とする請求項に１記載のデバイス。
【請求項９】
前記客体は、アイコン、テキスト、イメージ及びサービス利用のためのリンク情報を含むユーザ・インターフェース、並びに前記客体の機能に係わる説明情報のうち少なくとも一つを含むことを特徴とする請求項１に記載のデバイス。
【請求項１０】
デバイスが外部デバイスとコンテンツ情報を共有するための方法において、
前記外部デバイスから、前記外部デバイスで再生中である少なくとも１つのコンテンツに係わる情報を受信する段階と、
前記少なくとも１つのコンテンツに係わるサービスを利用するための客体を、サーバに要請する段階と、
前記要請された客体を前記サーバから受信する段階と、
前記受信された客体を、前記デバイスに出力する段階と、を含み、
前記客体の要請を伝送する段階は、前記少なくとも１つのコンテンツに係わる情報を、前記サーバに伝送することによって、前記客体を要請し、
前記受信された客体は、前記要請に応答して、前記サーバによって生成された客体を含むコンテンツ情報の共有方法。
【請求項１１】
前記コンテンツ情報の共有方法は、
前記外部デバイスから受信された情報に基づいて、前記デバイスにインストールされたアプリケーションのうち、前記少なくとも１つのコンテンツを再生するアプリケーションを決定する段階をさらに含み、
前記客体を要請する段階は、
前記決定されたアプリケーションを識別する情報を、前記サーバに伝送することを特徴とする請求項１０に記載のコンテンツ情報の共有方法。
【請求項１２】
前記サービスは、
前記アプリケーションを利用して提供されるサービスであることを特徴とする請求項１１に記載のコンテンツ情報の共有方法。
【請求項１３】
前記客体を前記サーバに要請する段階は、
前記少なくとも１つのコンテンツに対する利用権限があるユーザのサービスアカウントを確認し、前記確認されたサービスアカウントを利用して、ログインすることができるサービスを利用するための客体を、前記サーバに要請することを特徴とする請求項１０に記載のコンテンツ情報の共有方法。
【請求項１４】
前記少なくとも１つのコンテンツに係わる情報は、
前記外部デバイスを利用して再生中である少なくとも１つのコンテンツに係わるタグ情報であることを特徴とする請求項１０に記載のコンテンツ情報の共有方法。
【請求項１５】
前記少なくとも１つのコンテンツに係わる情報を受信する段階は、
前記外部デバイスから、近距離無線通信を利用して、ブロードキャストされたパケットを受信する段階と、
前記受信されたパケットから、前記少なくとも１つのコンテンツに係わる情報を抽出する段階と、を含むことを特徴とする請求項１０に記載のコンテンツ情報の共有方法。
【発明の詳細な説明】
【技術分野】
【０００１】
本発明は、デバイスを介してサービスを提供する技術に係り、さらに詳細には、デバイスが無線通信を利用して、サービスを提供するための方法及びそのデバイスに関する。
【背景技術】
【０００２】
無線通信技術の発達によって、ユーザがデバイスを携帯し、移動しながら多様な場所でサービスを提供されることが可能になった。それにより、デバイスがユーザに、サービスを提供される場所、またはユーザの状況に適切なサービスを提供する必要がある。デバイスが、サービスを提供される場所、またはユーザの状況に適切なサービスを提供するために、デバイスから近距離に位置した他のデバイスを介して提供されるサービスを利用して再生されるコンテンツを共有する必要がある。
【０００３】
ここで、他のデバイスを介して再生されるコンテンツを共有するとき、著作権の存在するコンテンツは、任意に共有され難いという問題点がある。
【発明の概要】
【発明が解決しようとする課題】
【０００４】
本発明が解決しようとする課題は、近距離に位置した外部デバイスで再生されるコンテンツに係わる情報を共有することができる方法及びそのデバイスを提供することである。
【０００５】
本発明が解決しようとする課題はまた、外部デバイスにサービスを提供するサービス提供者と、デバイスにサービスを提供するサービス提供者とが互いに異なる場合でも、著作権の問題なしに、デバイスにサービスを提供するサービス提供者からサービスを提供される方法及びそのデバイスを提供することである。
【課題を解決するための手段】
【０００６】
前述の技術的課題を達成するための技術的手段として、本発明の一実施形態によるデバイスは、外部デバイスから、再生中である少なくとも１つのコンテンツに係わる情報を受信する無線通信部と、少なくとも１つのコンテンツと係わるサービスを利用するための客体をサーバに要請し、客体をサーバから受信する制御部と、受信された客体を出力する出力部と、を含み、制御部は、少なくとも１つのコンテンツに係わる情報をサーバに伝送することによって客体を要請し、受信された客体は、要請に対する応答として、サーバによって生成されたものでもある。
【０００７】
本発明の他の一実施形態によれば、制御部は、デバイスにインストールされたアプリケーションのうち少なくとも１つのコンテンツを再生することができるアプリケーションを決定し、少なくとも１つのコンテンツに係わる情報は、決定されたアプリケーションを識別することができる情報を含んでもよい。
【０００８】
本発明の他の一実施形態によれば、制御部は、デバイスにインストールされたアプリケーションに係わる情報をサーバに伝送し、サーバを利用して、少なくとも１つのコンテンツを再生することができるアプリケーションを決定することができる。
【０００９】
本発明の他の一実施形態によれば、制御部は、少なくとも１つのコンテンツに対する利用権限があるユーザのサービスアカウントを確認し、確認されたサービスアカウントを利用して、ログインすることができるサービスを利用するための客体を、サーバに要請することを特徴とする。
【００１０】
本発明の他の一実施形態によれば、少なくとも１つのコンテンツに係わる情報は、外部デバイスを利用して再生された少なくとも１つのコンテンツに係わるタグ情報（tag information）を含んでもよい。
【００１１】
本発明の他の一実施形態によれば、無線通信部は、少なくとも１つのコンテンツに係わる情報を含むパケットを受信し、該パケットは、外部デバイスから、近距離無線通信を利用して、ブロードキャスト（broadcast）されたものであり、制御部は、パケットから、少なくとも１つのコンテンツに係わる情報を抽出することができる。
【００１２】
本発明の他の一実施形態によれば、少なくとも１つのコンテンツに係わる情報は、外部デバイスから、近距離無線通信を介してブロードキャストされるＳＳＩＤ（service set identifier）またはＶＳＩＥ（vendor specific information element）に挿入されていることを特徴とする。
【００１３】
本発明の他の一実施形態によれば、制御部は、少なくとも１つのコンテンツに対する利用権限があるユーザのサービスアカウントを確認し、少なくとも１つのコンテンツに対する利用権限があるユーザのサービスアカウントがない場合、利用権限購入のためのユーザ・インターフェースを、前記出力部を介して出力することができる。
【００１４】
本発明の他の一実施形態によれば、客体は、アイコン、テキスト、イメージ及びサービス利用のためのリンク情報を含むユーザ・インターフェース、並びに前記客体の機能に係わる説明情報のうち少なくとも一つを含んでもよい。
【００１５】
本発明の一実施形態によるデバイスは、外部デバイスから、外部デバイスを識別することができる識別情報を受信する無線通信部と、サーバに識別情報を伝送し、識別情報と係わるサービスを利用するための客体を、サーバに要請し、要請された客体をサーバから受信する制御部と、受信された客体を出力する出力部と、を含み、サーバは、識別情報と、少なくとも１つのコンテンツとをマッチングして保存し、受信された客体は、サーバによって、要請に対する応答として生成され、識別情報とマッチングされたコンテンツを利用するためのものでもある。
【００１６】
本発明の他の一実施形態によって、外部デバイスとコンテンツ情報を共有するデバイスは、外部デバイスから、再生中である少なくとも１つのコンテンツに係わる情報を受信する無線通信部と、少なくとも１つのコンテンツに係わる情報に基づいて、受信されたコンテンツと係わるサービスを利用するための客体を生成する制御部と、生成された客体を出力する出力部と、を含んでもよい。
【００１７】
本発明の他の一実施形態によって、該デバイスが外部デバイスとコンテンツ情報を共有するための方法は、外部デバイスから、外部デバイスで再生中である少なくとも１つのコンテンツに係わる情報を受信する段階と、少なくとも１つのコンテンツに係わるサービスを利用するための客体を、サーバに要請する段階と、要請された客体をサーバから受信する段階と、受信された客体をデバイスに出力する段階と、を含み、客体要請を伝送する段階は、少なくとも１つのコンテンツに係わる情報をサーバに伝送することによって、客体を要請して受信された客体は、要請に応答して、サーバによって生成されたものでもある。
【００１８】
本発明の他の一実施形態によるコンテンツ情報の共有方法は、外部デバイスから受信された情報に基づいて、デバイスにインストールされたアプリケーションのうち少なくとも１つのコンテンツを再生することができるアプリケーションを決定する段階をさらに含み、客体を要請する段階は、決定されたアプリケーションを識別することができる情報を、サーバに伝送することを特徴とする。
【００１９】
本発明の他の一実施形態によれば、該サービスは、アプリケーションを利用して提供されるサービスを含んでもよい。
【００２０】
本発明の他の一実施形態によれば、客体をサーバに要請する段階は、少なくとも１つのコンテンツに対する利用権限があるユーザのサービスアカウントを確認し、確認されたサービスアカウントを利用して、ログインすることができるサービスを利用するための客体を、サーバに要請することを特徴とする。
【００２１】
本発明の他の一実施形態によれば、少なくとも１つのコンテンツに係わる情報は、外部デバイスを利用して再生中である少なくとも１つのコンテンツに係わるタグ情報を含んでもよい。
【００２２】
本発明の他の一実施形態によれば、少なくとも１つのコンテンツに係わる情報を受信する段階は、外部デバイスから、近距離無線通信を利用して、ブロードキャストされたパケットを受信する段階と、受信されたパケットから、少なくとも１つのコンテンツに係わる情報を抽出する段階と、を含んでもよい。
【００２３】
本発明の他の一実施形態によれば、少なくとも１つのコンテンツに係わる情報は、外部デバイスから、近距離無線通信を介してブロードキャストされるＳＳＩＤまたはＶＳＩＥに挿入されていることを特徴とする。
【００２４】
本発明の他の一実施形態によるコンテンツ情報の共有方法は、少なくとも１つのコンテンツに対する利用権限があるユーザのサービスアカウントを確認する段階と、少なくとも１つのコンテンツに対する利用権限があるユーザのサービスアカウントがない場合、利用権限購入のためのユーザ・インターフェースを、出力部を介して出力する段階と、をさらに含んでもよい。
【００２５】
本発明の他の一実施形態によれば、客体は、アイコン、テキスト、イメージ及びサービス利用のためのリンク情報を含むユーザ・インターフェース、並びに前記客体の機能に係わる説明情報のうち少なくとも一つを含んでもよい。
【００２６】
本発明の一実施形態によって、デバイスが外部デバイスとコンテンツ情報を共有するための方法は、外部デバイスから、外部デバイスを識別することができる識別情報を受信する段階と、サーバに識別情報を伝送し、外部デバイスで再生中であるコンテンツと係わるサービスを利用するための客体を、サーバに要請する段階と、要請された客体をサーバから受信する段階と、受信された客体を、出力部を介して出力する段階と、を含み、該サーバは、識別情報と、少なくとも１つのコンテンツとをマッチングして保存し、受信された客体は、外部デバイスを利用して再生された少なくとも１つのコンテンツに係わる情報が保存されたサーバによって、要請に対する応答として生成された客体を含んでもよい。
【００２７】
本発明の一実施形態によって、デバイスが外部デバイスとコンテンツ情報を共有する方法は、外部デバイスから、再生中である少なくとも１つのコンテンツに係わる情報を受信する段階と、少なくとも１つのコンテンツに係わる情報に基づいて、受信されたコンテンツと係わるサービスを利用するための客体を生成する段階と、生成された客体を出力する段階と、を含んでもよい。
【００２８】
本発明の一実施形態による記録媒体は、前述の各方法をコンピュータで実行するためのプログラムを記録したコンピュータで読み取り可能な非一時的記録媒体でもある。
【図面の簡単な説明】
【００２９】
【図１】本発明の一実施形態によって、コンテンツ情報を共有する構造を簡略に図示した図面である。
【図２】本発明の一実施形態によって、デバイスがコンテンツ情報をブロードキャストするプロセスを図示したフローチャートである。
【図３】本発明の一実施形態によって、デバイスがコンテンツ情報を含むタグ情報をパケットに挿入するプロセスを図示した図面である。
【図４】本発明の一実施形態によって、デバイスがコンテンツ情報を共有するプロセスを図示したフローチャートである。
【図５】本発明の一実施形態によって、デバイスがタグ情報を利用してコンテンツを再生するプロセスを図示したフローチャートである。
【図６】本発明の他の一実施形態によって、デバイスがタグ情報を利用してコンテンツを再生するプロセスを図示したフローチャートである。
【図７】本発明の他の一実施形態によって、デバイスがタグ情報を利用してコンテンツを再生するプロセスを図示したフローチャートである。
【図８】本発明のさらに他の一実施形態によって、デバイスがタグ情報を利用してコンテンツを再生するプロセスを図示したフローチャートである。
【図９】本発明のさらに他の一実施形態によって、デバイスがタグ情報を利用してコンテンツを再生するプロセスを図示したフローチャートである。
【図１０】本発明の一実施形態によって、タグ情報をディスプレイするプロセスを図示したフローチャートである。
【図１１】本発明の一実施形態によって、デバイスがコンテンツを再生するプロセスを図示したフローチャートである。
【図１２】本発明の他の一実施形態によって、デバイスがコンテンツを再生するプロセスを図示したフローチャートである。
【図１３】本発明の他の一実施形態によって、コンテンツ情報を共有するシステムを図示した構造図である。
【図１４】本発明の一実施形態によるデバイスの構造を図示した構造図である。
【図１５】本発明の一実施形態による外部デバイスの構造を図示した構造図である。
【図１６】本発明の一実施形態によって、音楽コンテンツに係わるコンテンツ情報を共有する一例を図示した図面である。
【図１７】本発明の一実施形態によって、ゲームコンテンツに係わるコンテンツ情報を共有する一例を図示した図面である。
【図１８】本発明の一実施形態によって、運動関連コンテンツに係わるコンテンツ情報を共有する一例を図示した図面である。
【図１９】本発明の一実施形態によって、共有されたタグ情報を利用して、デバイスにサービスを提供するシステムを図示した図面である。
【発明を実施するための形態】
【００３０】
以下、添付した図面を参照し、本発明が属する技術分野で当業者が容易に実施することができるように、本発明の実施形態について詳細に説明する。しかし、本発明は、さまざまな異なる形態に具現され、ここで説明する実施形態に限定されるものではない。図面で、本発明を明確に説明するために、説明と係わりのない部分は省略し、明細書全体を通じて、類似した部分については、類似した図面符号を付した。
【００３１】
第１、第２などの用語は、多様な構成要素について説明するのに使用されるが、構成要素は、用語によって限定されるものではない。用語は、１つの構成要素を他の構成要素から区別する目的のみに使用される。
【００３２】
明細書全体で、ある部分が他の部分と「連結」されているとするとき、それは、「直接連結」されている場合だけではなく、その中間に、他の素子を挟んで「電気的に連結」されている場合も含む。また、ある部分が他の部分と「連結」されているというのは、ある部分が他の部分と信号送受信を介して通信することができる状態になっている場合も含む。
【００３３】
また、ある部分がある構成要素を「含む」とするとき、それは、特に限定する記載がない限り、他の構成要素を除くものではなく、他の構成要素をさらに含んでもよいということを意味する。
【００３４】
本出願で使用した用語は、ただ特定の実施形態について説明するために使用されたものに過ぎず、本発明を限定する意図ではない。本出願で使用した用語は、本発明での機能を考慮しながら、可能な限り現在広く使用される一般的な用語を選択したが、それは、当分野の当業者の意図、判例または新たな技術の出現などによって異なりもする。また、特定の場合は、出願人が任意に選定した用語もあり、その場合、該当する発明の説明部分で、詳細にその意味を記載する。従って、本発明で使用される用語は、単純な用語の名称ではない、その用語が有する意味と、本発明の全般にわたった内容とを基に定義されなければならない。
【００３５】
単数の表現は、文脈上、明白に取り立てて意味しない限り、複数の表現を含む。本出願で、「含む」または「有する」というような用語は、明細書上に記載された特徴、数字、段階、動作、構成要素、部品、またはそれらを組み合わせたものが存在するということを指定するものであり、一つまたはそれ以上の他の特徴や数字、段階、動作、構成要素、部品ま、たはそれらを組み合わせたものの存在または付加の可能性をあらかじめ排除するものではないということを理解する必要がある。
【００３６】
明細書全般で言及されるアプリケーションは、後述する機器間の連結を基に、特定の業務を遂行するために考案された一連のコンピュータ・プログラムの集合をいう。例えば、アプリケーションは、ゲームアプリケーション、楽器演奏アプリケーション、動画再生アプリケーション、音楽再生アプリケーション、地図アプリケーション、放送アプリケーション、運動支援アプリケーション、医療用アプリケーション、決済アプリケーション、運送手段（例えば、自動車、バス、飛行機または船舶など）自動航法アプリケーション、周辺機器制御アプリケーション、及び前記各アプリケーションの組み合わせなど多様である。
【００３７】
明細書全般で言及するアドホック（ad hoc）モードの無線ＬＡＮ（local area network）と、インフラストラクチャ（infrastructure）モードの無線ＬＡＮは、機器間での近距離通信時、中継器（relay）を介するか否かによる通信方式を区分するための一例である。すなわち、アドホックモードの無線ＬＡＮは、中継器を介さずに、機器間で直接通信する方式の一例であり、ＷＦＤ（wireless fidelity direct）にもなる。インフラストラクチャモードの無線ＬＡＮは、中継器を介して、機器間で通信する方式の一例であり、Ｗｉ−Ｆｉ（wireless fidelity）。従って、明細書全般で言及されるアドホックモードの無線ＬＡＮは、中継器をかいさずに機器間で直接通信する方式として理解され、インフラストラクチャモードの無線ＬＡＮは、中継器を介して、機器間で通信する方式と理解されなければならない。
【００３８】
また、本明細書で、サービス利用のための客体は、サービス提供者のサービスを利用するためのユーザ・インターフェースをいう。サービス利用のための客体は、サーバまたはコンテンツ提供者から提供されるサービスを利用するためのユーザ・インターフェースでもある。サービス利用のための客体は、例えば、アイコン、テキスト、イメージ及びリンク情報を含むユーザ・インターフェース、並びに客体の機能に係わる説明情報（description）を含んでもよい。
【００３９】
また、デバイスは、サーバから客体を受信し、受信された客体を利用して、サービス提供者が提供するサービスを行うことができる。デバイスは、客体を利用することによって、デバイス内のアプリケーション・プログラム、データソース、サーバ及びコンテンツ提供者からコンテンツを獲得して処理することができる。また、客体は、ユーザまたはデバイスのコンテクスト情報に基づいて提供される所定のサービスが、パッケージングされたユーザ・インターフェースでもある。
【００４０】
また、客体は、デバイスに別にインストールされたり実行されたりせず、デバイスのホストプログラムによって解析されることにより、デバイスの画面に表示される。例えば、客体は、ガジェット（gadget）の形態に具現されるが、それに制限されるものではない。
【００４１】
本発明の一実施形態によれば、客体は、ユーザ入力によって、所定のコンテンツを選択することができる。デバイスは、客体に対するユーザ入力によって、選択されたコンテンツを再生するサービスに連結することができる。例えば、客体は、少なくとも１つのコンテンツを含む再生リスト（play list）を含んでもよい。デバイスは、客体を出力するとき、再生リストに含まれた動画のプレビュー（preview）などを、カバーフロー（cover flow）形態で出力することができる。ただし、本明細書で言及される客体は、本実施形態に限定されるものではない。
【００４２】
以下、添付された図面を参照し、本発明について詳細に説明する。
【００４３】
図１は、本発明の一実施形態によって、コンテンツ情報を共有する構造を簡略に図示した図面である。
【００４４】
本発明の一実施形態によれば、外部デバイス１１０は、外部デバイス１１０を利用して再生された少なくとも１つのコンテンツに係わる情報を、デバイス１００に伝送する。
【００４５】
例えば、外部デバイス１１０は、近距離無線通信を介して、外部デバイス１１０で再生された音楽の題目のようなタグ情報１２０を含むパケットを、ブロードキャスト（broadcast）することができる。ここで、近距離無線通信を介してパケットをブロードキャストするということは、任意のデバイスが、パケットを受信することができるように送出するということを意味する。
【００４６】
ここで、パケットがタグ情報１２０を含むということは、パケットの特定フィールドに、タグ情報が挿入されているということを意味する。例えば、ビーコンフレーム内のＳＳＩＤ（service set identifier）またはＶＳＩＥ（ＩＥＥＥ ８０２のvendor specific information element）フィールドに、タグ情報が挿入される。
【００４７】
タグ情報１２０は、コンテンツに係わる情報を含んでもよい。ここで、コンテンツに係わる情報は、デバイスを介して提供されたコンテンツと係わる情報を意味する。例えば、デバイスを介して音楽コンテンツが提供された場合、デバイスで再生された音楽の題目、アーティスト名、アルバム名及び制作者名などを、タグ情報が含んでもよい。他の例として、デバイスを介してゲームコンテンツが提供された場合、ゲームコンテンツ関連スコアなどを、タグ情報が含んでもよい。
【００４８】
近距離無線通信は、近距離内でのみデータの送受信が可能な無線通信方式を意味する。本発明は、外部デバイス１１０が送出したパケットを、デバイス１００が直接受信する場合だけではなく、中継器を介して、デバイス１００がパケットを受信する場合を含む。例えば、外部デバイス１１０がインフラストラクチャモードのＷｉ−Ｆｉ通信方式を介して連結されたＡＰ（access point）にタグ情報を伝送すれば、ＡＰがＳＳＩＤにタグ情報を挿入し、タグ情報をブロードキャストする。ただし、前記例示に本発明が限定されるものではない。
【００４９】
本発明のデバイスによって、外部デバイス１１０とデバイス１００との近距離無線通信の連結構造が中継器を含まない場合、デバイス間の通信は、直接通信方式を介して行われる。機器間直接通信方式は、中継器を介さずに、機器間で直接データを送受信することを意味する。機器間直接通信方式の例としては、ブルートゥース（Bluetooth(登録商標)）通信、ＵＷＶ（ultra wideband）通信、ジグビー（Zigbee（登録商標））通信、及びアドホックモードの無線ＬＡＮ通信に含まれるＷＦＤ通信などがある。ただし、本発明で、機器間直接通信方式は、前記例示に限定されるものではない。機器間直接通信方式は、Ｍ２Ｍ（machine-to-machine）通信方式、Ｄ２Ｄ（device-to-device）通信方式またはＰ２Ｐ（peer-to-peer）通信方式ということができる。
【００５０】
デバイス１００は、少なくとも１つの外部デバイス１１０から、コンテンツに係わる情報を受信する。コンテンツに係わる情報を受信したデバイス１００は、受信されたコンテンツに係わる情報を利用して、コンテンツをユーザに提供することができる。そのとき、デバイス１００は、コンテンツを提供するサービス利用のための客体をサーバに要請し、サーバから、サービス利用のための客体を受信する。デバイス１００は、サービス利用のための客体をデバイス１００に表示し、表示された客体を利用して、ユーザにサービスを提供することができる。
【００５１】
一例として、デバイス１００は、外部デバイス１１０がブロードキャストしたタグ情報１２０を受信する。タグ情報１２０を受信したデバイス１００は、受信されたタグ情報１２０を利用して、コンテンツを提供することができる。例えば、デバイス１００が歌題目が含まれたタグ情報１２０を受信した場合、デバイス１００は、歌題目に該当する音源を再生することができる。ここで、デバイス１００は、音源を再生するサービスを提供するために、音源再生サービスに対する要請をサーバに伝送し、サーバから、音源再生サービスを利用するための客体を受信する。
【００５２】
本明細書で、デバイス１００と外部デバイス１１０は、本発明による機器の動作について説明するために区分したものであり、同一の機器が、デバイス１００または外部デバイス１１０の役割を行うことができる。すなわち、デバイス１００は、タグ情報１２０を受信すると同時に、デバイス１００を介して提供されたコンテンツに係わる情報を含むタグ情報を、ブロードキャストすることができる。
【００５３】
デバイス１００及び外部デバイス１１０は、データ通信が可能なデバイスである。デバイス１００及び外部デバイス１１０は、同種の機器または異種の機器でもある。デバイス１００及び外部デバイス１１０は、例えば、携帯電話機、スマートフォン（smart phone）、ノート型パソコン、タブレットＰＣ（personal computer）、ハンドヘルドＰＣ、電子ブック端末機、デジタル放送用端末機、ＰＤＡ（personal digital assistant）、ＰＭＰ（portable multimedia player）、ナビゲーション、スマートＴＶ（television）のような多様な機器によって構成される。ただし、本発明でのデバイス１００及び外部デバイス１１０は、それらに限定されるものではない。
【００５４】
図２は、本発明の一実施形態によって、外部デバイスがコンテンツ情報をブロードキャストするプロセスを図示したフローチャートである。
【００５５】
まず、外部デバイス１１０は、外部デバイス１１０を介して提供されたコンテンツに係わるタグ情報を生成することができる（Ｓ２１０）。
【００５６】
外部デバイス１１０は、外部デバイス１１０を介して外部デバイス１１０のユーザに提供されたコンテンツと係わるタグ情報を生成することができる。ここで、ユーザに提供されたコンテンツは、映画、音楽、ゲーム及び運動管理サービスなど多様なコンテンツが含まれる。しかし、本発明は、前記例示に限定されるものではない。
【００５７】
例えば、外部デバイス１１０を介して映画コンテンツを再生した場合、外部デバイス１１０は、映画題目、映画のジャンル及び映画の出演俳優名などを含むタグ情報を生成することができる。その場合、外部デバイス１１０は、再生された映画コンテンツのメタデータから抽出された情報を含むタグ情報を生成することができる。
【００５８】
その後、外部デバイス１１０は、タグ情報を、近距離無線通信を介してブロードキャストされるパケットの特定フィールドに挿入することができる（Ｓ２２０）。例えば、ＳＳＩＤフィールドまたはＶＳＩＥフィールドにタグ情報が挿入される。
【００５９】
その後、外部デバイス１１０は、タグ情報が挿入されたパケットを、近距離無線通信を介してブロードキャストすることができる（Ｓ２３０）。
【００６０】
近距離無線通信は、近距離以内でのみデータの送受信が可能な無線通信方式を意味する。本発明は、外部デバイス１１０が送出したパケットを、デバイス１００が直接受信する場合だけではなく、中継器を介してデバイス１００がパケットを受信する場合を含む。例えば、外部デバイス１１０がインフラストラクチャモードのＷｉ−Ｆｉ通信方式を介して連結されたＡＰにタグ情報を伝送すれば、ＡＰがＳＳＩＤにタグ情報を挿入し、タグ情報をブロードキャストする。ただし、前記例示に本発明が限定されるものではない。
【００６１】
本発明のデバイスによって、外部デバイス１１０とデバイス１００との近距離無線通信の連結構造が中継器を含まない場合、デバイス間の通信は、直接通信方式を介して行われる。機器間直接通信方式は、中継器を介さずに機器間で直接データを送受信することを意味する。機器間直接通信方式の例としては、ブルートゥース通信、ＵＷＶ通信、ジグビー通信及、びアドホックモードの無線ＬＡＮ通信に含まれるＷＦＤ通信などがある。ただし、本発明で、機器間直接通信方式は、前記例示に限定されるものではない。
【００６２】
図３は、本発明の一実施形態によって、外部デバイスがコンテンツ情報を含むタグ情報を、パケットに挿入するプロセスを図示した図面である。
【００６３】
外部デバイス１１０は、外部デバイス１１０を介して提供されたコンテンツ３１０からデータを抽出し、タグ情報３５０を生成することができる。ここで、外部デバイス１１０を介して提供されたコンテンツは、音楽コンテンツ、ゲームコンテンツ、電子ブック（ｅ−book）コンテンツ及び映画コンテンツなど多様な形態のコンテンツを含んでもよい。
【００６４】
外部デバイス１１０を介して提供されたコンテンツが音楽コンテンツである場合、例えば、外部デバイス１１０は、外部デバイス１１０で再生された音楽の題目、アーティスト名、アルバム名及び制作者名などを含むタグ情報３５０を生成することができる。
【００６５】
また、外部デバイス１１０を介して提供されたコンテンツがゲームコンテンツである場合、例えば、外部デバイス１１０は、外部デバイス１１０で提供されたゲームのスコア情報を含むタグ情報３５０を生成することができる。
【００６６】
また、外部デバイス１１０を介して提供されたコンテンツが電子ブックコンテンツである場合、例えば、外部デバイス１１０は、外部デバイス１１０で提供された電子ブックの題目、著者及びジャンルを含むタグ情報３５０を生成することができる。
【００６７】
また、外部デバイス１１０を介して提供されたコンテンツが映画コンテンツである場合、例えば、外部デバイス１１０は、外部デバイス１１０で提供された映画の題目、映画のジャンル及び映画の出演俳優名などを含むタグ情報３５０を生成することができる。
【００６８】
ただし、本発明は、前記例示に限定されるものではない。
【００６９】
本発明の一実施形態によれば、タグ情報３５０は、静的データ３２０及び動的データ３３０を含んでもよい。
【００７０】
本発明の一実施形態によれば、静的データ３２０は、コンテンツのカテゴリー、コンテンツのジャンル及びコンテンツのメタデータに保存された情報のように、コンテンツによって特定されるデータを意味する。
【００７１】
また、本発明の一実施形態によれば、動的データ３３０は、コンテンツを利用したユーザの順位や記録のように、ユーザやタグ情報の生成時点などによって変化可能なデータを意味する。
【００７２】
タグ情報３５０は、必ずしも静的データ３２０と動的データ３３０とを同時に含まなければならないものではない。タグ情報３５０は、静的データ３２０または動的データ３３０のうちいずれか一つだけを含んだり、二つとも含んでもよい。
【００７３】
外部デバイス１１０は、生成されたタグ情報が、近距離無線通信を介してブロードキャストされるパケット３４０に挿入することができる。ここで、本発明の実施形態によって静的データ３２０及び動的データ３３０は、パケットのそれぞれ異なるフィールドに挿入される。
【００７４】
図４は、本発明の一実施形態によって、デバイスがコンテンツ情報を共有するプロセスを図示したフローチャートである。
【００７５】
まず、デバイス１００は、外部デバイス１１０から、外部デバイス１１０を利用して再生された少なくとも１つのコンテンツに係わる情報を受信する（Ｓ４０５）。
【００７６】
ここで、コンテンツに係わる情報は、コンテンツを識別することができる情報である。例えば、コンテンツが音楽である場合、当該音楽に係わる題目が、コンテンツに係わる情報にもなる。ただし、本発明は、それに限定されるものではない。
【００７７】
本発明の一実施形態によれば、コンテンツに係わる情報は、コンテンツに係わるタグ情報でもある。例えば、コンテンツに係わる情報は、コンテンツのメタデータから抽出されたタグ情報でもある。
【００７８】
本発明の一実施形態によれば、コンテンツに係わる情報は、外部デバイス１１０から近距離無線通信を利用してブロードキャストされるパケットに含まれる。例えば、コンテンツに係わる情報は、外部デバイス１１０からブロードキャストされるＳＳＩＤまたはＶＳＩＥに挿入されて送出される。そのとき、デバイス１００は、外部デバイス１００から近距離無線通信を利用してブロードキャストされたパケットを受信し、受信されたパケットから、少なくとも１つのコンテンツに係わる情報を抽出することができる。本明細書で使用される「ブロードキャスト」という用語は、１つの場所または１つのデバイスで複数のデバイス、または任意のデバイスで、同一の情報やメッセージを送出するということを意味する。
【００７９】
その後、デバイス１００は、外部デバイス１１０から受信されたコンテンツに係わる情報に係わるサービスを、サーバに要請することができる（Ｓ４１５）。例えば、コンテンツに係わる情報に、少なくとも１つの動画の題目が含まれている場合、デバイス１００は、サーバに、動画再生に係わるサービスを要請することができる。
【００８０】
ここで、本発明の一実施形態によれば、デバイス１００は、サーバにサービスを要請するとき、コンテンツに係わる情報をサーバに共に伝送する。デバイス１００からサーバに伝送された要請に対する応答として、サーバは、コンテンツに係わる情報に係わるサービス利用のための客体を生成することができる。例えば、「アリラン」、「江南スタイル」のような音楽の題目が含まれたコンテンツに係わる情報を受信したサーバは、デバイス１００が「アリラン」、「江南スタイル」を再生するための客体を生成することができる。
【００８１】
また、本発明の他の一実施形態によれば、デバイス１００は、デバイス１００にインストールされたアプリケーションのうち、外部デバイス１１０で再生されたコンテンツを再生することができるアプリケーションを決定することができる。そのとき、デバイス１００は、サーバにサービスを要請するとき、決定されたアプリケーションを識別することができる情報を含むコンテンツに係わる情報を、サーバに伝送する。サーバは、アプリケーションを識別することができる情報によって、デバイス１００にインストールされたアプリケーションのうち、コンテンツを再生することができるアプリケーションを利用して提供されるサービスを利用するための客体を生成することができる。
【００８２】
例えば、外部デバイス１１０で「音楽再生アプリケーション１」を利用して、「音楽再生サービス１」を介して音楽を再生し、デバイス１００に、「音楽再生サービス２」を提供することができる「音楽再生アプリケーション２」がインストールされている場合、サーバは、「音楽再生サービス２」を介して音楽再生サービスを利用するための客体を生成することができる。
【００８３】
また、本発明のさらに他の一実施形態によれば、デバイス１００は、外部デバイス１１０で再生されたコンテンツに対する利用権限があるサービスアカウントを確認することができる。デバイス１００は、確認されたサービスアカウントを利用して、ログインすることができるサービスをサーバに要請することができる。
【００８４】
また、デバイス１００は、外部デバイス１１０で再生されたコンテンツに対する利用権限があるサービスアカウントがない場合、利用権限購入のためのユーザ・インターフェースを、デバイス１００の出力部１３２０（図１４）を介して出力することができる。例えば、外部デバイス１１０で音楽を再生し、デバイス１００に、音楽再生のためのサービスアカウントがない場合、デバイス１００は、音楽再生のためにサービスコストが最も低廉であるサービスの利用権限購入のためのユーザ・インターフェースを出力することができる。
【００８５】
その後、デバイス１００は、サービスを利用するための客体をサーバから受信し（Ｓ４２５）、受信された客体をデバイスに出力することができる（Ｓ４３５）。デバイスは、出力された客体を利用して、外部デバイス１１０から受信されたコンテンツに係わる情報に係わるサービスをユーザに提供することができる。
【００８６】
本発明の他の一実施形態によれば、デバイス１００は、Ｓ４０５段階で、コンテンツに係わる情報の代わりに、外部デバイス１１０を識別することができる情報を受信する。その後、デバイス１００は、Ｓ４１５段階で、外部デバイス１１０と係わるサービスをサーバに要請することができる。そのとき、サーバは、外部デバイス１１０で再生されているコンテンツや、外部デバイス１１０で提供されているサービスに係わる情報を獲得することができる。例えば、外部デバイス１１０は、外部デバイス１１０で再生されたコンテンツや、外部デバイス１１０で提供されているサービスに係わる情報を、周期的にサーバにアップデートすることができる。サーバは、外部デバイス１１０で再生されたコンテンツを再生することができる客体を生成し、デバイス１００に伝送する。デバイス１００は、サーバから受信された客体を出力し、出力された客体を利用して、ユーザにサービスを提供することができる。
【００８７】
図５は、本発明の一実施形態によって、デバイスがタグ情報を利用して、コンテンツを再生するプロセスを図示したフローチャートである。
【００８８】
まず、デバイス１００は、外部デバイス１１０から、無線通信を介してブロードキャストされたパケットを受信する（Ｓ４１０）。
【００８９】
本発明の一実施形態によれば、デバイス１００は、ユーザの選択によって、デバイス１００を介して提供されたコンテンツに係わるタグ情報を、近距離無線通信を介してブロードキャストする。本発明の一実施形態によれば、デバイス１００は、タグ情報をブロードキャストする場合に限り、Ｓ４１０段階ないしＳ４４０段階を遂行することができる。すなわち、外部デバイス１１０からタグ情報を受信するためには、デバイス１００のユーザが、デバイス１００で再生されたコンテンツから生成されたタグ情報をブロードキャストするのである。
【００９０】
その後、デバイス１００は、受信されたパケットから、タグ情報を獲得することができる（Ｓ４２０）。
【００９１】
ここで、デバイス１００は、受信されたパケットをデコーディングすることができる。デバイスは、デコーディングされたパケットの所定フィールドに挿入されたタグ情報を獲得することができる。
【００９２】
その後、デバイス１００は、獲得されたタグ情報に基づいて、サービスを提供するコンテンツリストを決定することができる（Ｓ４３０）。
【００９３】
デバイス１００は、獲得されたタグ情報を解析してコンテンツを決定し、決定されたコンテンツを含むコンテンツリストを決定することができる。例えば、獲得されたタグ情報が、音楽アルバムのタイトルを含んでいる場合、当該アルバムに含まれた音源を含むコンテンツリストを決定することができる。
【００９４】
その後、デバイス１００は、コンテンツリストに含まれたコンテンツを再生する（Ｓ４４０）。ここで、デバイス１００は、コンテンツリストに対応するサービスを利用するための客体を、サーバに要請することができる。デバイス１００は、サーバに伝送された要請に対する応答として受信された客体を利用して、コンテンツを再生することができる。
【００９５】
デバイス１００は、近距離無線通信を介して受信されたタグ情報に基づいて、コンテンツを再生することによって、近距離に存在する外部デバイス１００で再生されたコンテンツに係わるコンテンツ情報を共有することができる。
【００９６】
本発明の一実施形態によれば、デバイス１００は、コンテンツリストをサーバに伝送し、サーバから、コンテンツリストに基づいて生成された再生リストページを受信する。デバイス１００は、再生リストページをデバイス１００にディスプレイすることによって、ユーザは、再生リストページを介してコンテンツを再生することができる。
【００９７】
本発明の一実施形態によれば、デバイス１００は、デバイス１００にアカウントが保存されたサービスを介して、コンテンツを再生することができる。例えば、外部デバイス１１０が、第１サービスを介して再生されたコンテンツから生成されたタグ情報をブロードキャストし、デバイス１００に、第２サービスを利用するためのアカウント情報が保存されている場合、タグ情報を受信したデバイス１００は、第２サービスを介して、コンテンツを再生することができる。すなわち、外部デバイス１１０で、コンテンツを利用したサービスと係わりなく、デバイス１００は、ユーザが、デバイス１００を介して利用することができるサービスを介して、コンテンツを再生することができる。
【００９８】
また、本発明の一実施形態によれば、デバイス１００は、デバイス１００にインストールされたアプリケーションのうち、コンテンツを再生することができるアプリケーションが存在するか否かを判断することができる。コンテンツを再生することができるアプリケーションが存在する場合、コンテンツを再生することができるアプリケーションを介して、コンテンツを再生することができる。
【００９９】
図６は、本発明の他の一実施形態によって、デバイスがタグ情報を利用して、コンテンツを再生するプロセスを図示したフローチャートである。
【０１００】
まず、デバイス１００は、外部デバイス１１０から、近距離無線通信を介してパケットを受信する（Ｓ５１０）。その後、デバイス１００は、外部デバイス１１０から受信されたパケットから、タグ情報を獲得することができる（Ｓ５２０）。
【０１０１】
その後、デバイス１００は、タグ情報に基づいて、コンテンツリストを決定し（Ｓ５３０）、決定されたコンテンツリストをサーバ５００に伝送する（Ｓ５４０）。
【０１０２】
ここで、サーバ５００は、デバイス１００に、コンテンツおすすめサービスを提供することができる。サーバ５００は、直接デバイス１００にコンテンツを提供するか、あるいは他のサービス提供サーバから提供されるコンテンツを推薦することができる。
【０１０３】
サーバ５００は、デバイス１００から受信されたコンテンツリストに対応するコンテンツを選択することができる（Ｓ５５０）。すなわち、サーバ５００が、デバイス１００に提供することができるコンテンツのうち、受信されたコンテンツリストに対応するコンテンツ、または他のサービス提供サーバから提供されるコンテンツのうち、コンテンツリストに対応するコンテンツを選択することができる。
【０１０４】
その後、サーバ５００は、Ｓ５５０段階で選択されたコンテンツを再生することができる再生リストページを生成することができる（Ｓ５６０）。その後、サーバ５００は、再生リストページをデバイス１００に伝送する。そのとき、サーバ５００は、再生リストページに連結するためのリンク情報の形態で、再生リストページをデバイス１００に伝送する。
【０１０５】
その後、デバイス１００は、サーバ５００から受信された再生リストページを利用して、コンテンツを再生することができる。
【０１０６】
図７は、本発明のさらに他の一実施形態によって、デバイスがタグ情報を利用して、コンテンツを再生するプロセスを図示したフローチャートである。
【０１０７】
まず、デバイス１００は、外部デバイス１１０から、近距離無線通信を介してブロードキャストされたパケットを受信する（Ｓ６１０）。ただし、本発明は、近距離無線通信を介してブロードキャストされた信号を受信することにのみ限定されるものではない。
【０１０８】
本発明の一実施形態によれば、デバイス１００は、ユーザの選択によって、デバイス１００を介して提供されたコンテンツから生成されたタグ情報を、近距離無線通信を介してブロードキャストする。そのとき、デバイス１００は、タグ情報をブロードキャストする場合に限り、Ｓ４１０段階ないしＳ４４０段階を遂行することができる。すなわち、外部デバイス１１０からタグ情報を受信するためには、デバイス１００のユーザが、デバイス１００で再生されたコンテンツから生成されたタグ情報を、ブロードキャストするのである。
【０１０９】
その後、デバイス１００は、受信されたパケットからタグ情報を獲得し、サーバに、タグ情報と係わるサービスを要請することができる。そのとき、デバイス１００は、獲得されたタグ情報を、サーバに伝送する（Ｓ６２０）。その後、デバイス１００は、タグ情報に基づいて生成されたサービス利用のための客体を、サーバから受信する（Ｓ６３０）。その後、デバイス１００は、受信された客体を利用して、コンテンツを再生する（Ｓ６４０）。
【０１１０】
本発明の一実施形態によれば、デバイス１００は、サーバから、コンテンツを再生するための再生リストページを受信する。デバイス１００は、再生リストページをディスプレイし、ディスプレイされた再生リストページを利用して、コンテンツを再生することができる。
【０１１１】
図８は、本発明のさらに他の一実施形態によって、デバイスがタグ情報を利用して、コンテンツを再生するプロセスを図示したフローチャートである。
【０１１２】
まず、デバイス１００は、外部デバイス１１０からブロードキャストされたパケットを受信し（Ｓ７１０）、受信されたパケットからタグ情報を獲得することができる（Ｓ７２０）。ここで、サーバ５００は、デバイス１００にコンテンツおすすめサービスを提供することができる。サーバ５００は、直接デバイス１００にコンテンツを提供するか、あるいは他のサービス提供サーバから提供されるコンテンツを推薦することができる。
【０１１３】
その後、デバイス１００は、タグ情報に係わるサービスをサーバ７００に要請することができる。そのとき、デバイス１００は、獲得されたタグ情報をサーバ７００に伝送する（Ｓ７３０）。
【０１１４】
デバイス１００から、サービスに対する要請を受信したサーバ７００は、受信されたタグ情報に基づいて、サービス利用のための客体を生成することができる（Ｓ７４０）。そのとき、サーバ７００は、直接タグ情報を解析することにより、客体を利用して再生されるコンテンツリストを決定するか、あるいは他のサーバに、タグ情報に対応するコンテンツリストを要請することができる。
【０１１５】
本発明の一実施形態によれば、サービスを利用するための客体は、コンテンツを再生するための再生リストページを含んでもよい。
【０１１６】
その後、サーバ７００は、生成された客体をデバイス１００に伝送する（Ｓ７５０）。その後、デバイス１００は、受信された客体を利用して、コンテンツを再生する（Ｓ７６０）。
【０１１７】
図９は、本発明のさらに他の一実施形態によって、デバイスがタグ情報を利用して、コンテンツを再生するプロセスを図示したフローチャートである。
【０１１８】
まず、外部デバイス１１０は、サーバ８００に、コンテンツ情報をアップロードすることができる（Ｓ８１０）。そのとき、コンテンツ情報は、外部デバイス１１０を介して提供されたコンテンツと係わる情報を含んでもよい。
【０１１９】
また、コンテンツ情報は、外部デバイスの識別子（ＩＤ）とマッチングされ、サーバにアップロードされる。ここで、外部デバイスの識別子（ＩＤ）は、サーバ８００が外部デバイス１１０を識別するための識別情報を意味する。外部デバイスの識別子（ＩＤ）は、サーバに登録されている。
【０１２０】
その後、外部デバイス１１０は、外部デバイスの識別子（ＩＤ）を含むタグ情報をパケットに挿入し（Ｓ８２０）、タグ情報が挿入されたパケットを、近距離無線通信を介してブロードキャストすることができる（Ｓ８３０）。
【０１２１】
その後、デバイス１００は、外部デバイス１１０からブロードキャストされたパケットを受信し、受信されたパケットに含まれた外部デバイスの識別子（ＩＤ）を抽出する（Ｓ８４０）。その後、デバイス１００は、抽出された外部デバイスの識別子（ＩＤ）をサーバ８００に伝送する（Ｓ８５０）。
【０１２２】
本発明の一実施形態によれば、Ｓ８５０段階で、デバイス１００は、外部デバイスの識別子（ＩＤ）と共に、外部デバイスの識別子（ＩＤ）に対応するサービスを、サーバ８００に要請することができる。
【０１２３】
その後、サーバ８００は、受信された識別子（ＩＤ）に対応するサービス利用のための客体を生成することができる（Ｓ８６０）。サーバ８００は、直接受信された識別子（ＩＤ）に対応するコンテンツリストを決定するか、あるいは他のサーバに、コンテンツリストを要請することができる。
【０１２４】
その後、サーバ８００は、生成された客体をデバイス１００に伝送する（Ｓ８７０）。また、発明の実施形態によって、サーバ８００は、再生されるコンテンツをデバイス１００に伝送することもできる。本発明の一実施形態によれば、サーバ８００によって生成された客体は、コンテンツを再生するための再生リストページを含んでもよい。
【０１２５】
その後、デバイス１００は、サービス利用のための客体を利用して、コンテンツを再生する（Ｓ８８０）。
【０１２６】
図１０は、本発明の一実施形態によって、タグ情報をディスプレイするプロセスを図示したフローチャートである。
【０１２７】
まず、デバイス１００は、外部デバイスから、近距離無線通信を介してブロードキャストされたパケットを受信する（Ｓ９１０）。
【０１２８】
ここで、タグ情報は、外部デバイス１１０から、近距離無線通信を介してブロードキャストされるＳＳＩＤまたはＶＳＩＥなどに挿入されている。
【０１２９】
本発明の一実施形態によれば、デバイス１００は、ユーザの選択によって、デバイス１００を介して提供されたコンテンツから生成されたタグ情報を、近距離無線通信を介してブロードキャストする。そのとき、デバイス１００は、タグ情報をブロードキャストする場合に限り、Ｓ９１０段階及びＳ９２０段階を遂行することができる。すなわち、外部デバイス１１０からタグ情報を受信するためには、デバイス１００のユーザが、デバイス１００で再生されたコンテンツから生成されたタグ情報をブロードキャストするのである。
【０１３０】
その後、デバイス１００は、タグ情報と係わるアプリケーションを利用して、タグ情報をディスプレイすることができる（Ｓ９２０）。
【０１３１】
本発明の一実施形態によれば、デバイス１００は、タグ情報をサーバに伝送し、サーバから、タグ情報に基づいて生成されたページを受信し、ディスプレイすることができる。ここで、タグ情報に基づいて生成されたページは、タグ情報を利用して、サービスを提供するためのページを意味する。例えば、タグ情報が、外部デバイス１１０のユーザに係わる運動量記録である場合、デバイス１００は、サーバから近距離にいるユーザとの運動量比較サービスを提供するためのページを受信し、ディスプレイすることができる。
【０１３２】
図１１は、本発明の一実施形態によって、デバイスがコンテンツを再生するプロセスを図示したフローチャートである。
【０１３３】
まず、デバイス１００は、コンテンツを再生することができるサービスのうち、デバイス１００にアカウントが保存されたサービスを選択することができる（Ｓ１０１０）。
【０１３４】
本発明の実施形態によって、Ｓ１０１０段階とは異なり、デバイス１００は、あらかじめ設定されたサービスを選択することができるが、本実施形態のみに本発明が限定されるものではない。
【０１３５】
その後、デバイス１００は、選択されたサービスに保存されたアカウントでログインし、選択されたサービスを介して、コンテンツを再生する（Ｓ１０２０）。
【０１３６】
外部デバイス１１０から受信されたタグ情報を利用して、デバイス１００で利用可能なサービスを介して、コンテンツを再生することによって、外部デバイス１１０で利用したサービスの種類に係わりなくデバイス１００は、外部デバイス１１０が利用したコンテンツの情報を共有することができる。
【０１３７】
図１２は、本発明の他の一実施形態によって、デバイスがコンテンツを再生するプロセスを図示したフローチャートである。
【０１３８】
まず、デバイス１００は、デバイス１００にインストールされたアプリケーションのうち、コンテンツリストに含まれたコンテンツを再生することができるアプリケーションが存在するか否かを判断する（Ｓ１１１０）。
【０１３９】
例えば、コンテンツリストに含まれたコンテンツが映画コンテンツである場合、デバイス１００は、デバイス１００に、動画再生の可能なコンテンツが存在するか否かを判断する。
【０１４０】
本発明の他の一実施例によれば、デバイス１００は、外部デバイス１１０から獲得されたタグ情報に係わるアプリケーションが存在するか否かを判断する。例えば、タグ情報が、ゲームコンテンツと係わるゲーム結果スコアである場合、デバイス１００は、ゲーム結果スコアをディスプレイするためのゲームアプリケーションが、デバイス１００に存在するか否かを判断する。
【０１４１】
コンテンツを再生することができるアプリケーションが、デバイス１００に存在しない場合（Ｓ１１２０）、デバイス１００は、コンテンツを再生することができるアプリケーションをインストールする（Ｓ１１２５）。その後、デバイス１００は、インストールされたアプリケーションを利用して、コンテンツを再生する（Ｓ１１３０）。
【０１４２】
コンテンツを再生することができるアプリケーションが、デバイス１００に存在する場合（Ｓ１１２０）、デバイス１００は、アプリケーションを利用して、コンテンツを再生する（Ｓ１１３０）。
【０１４３】
図１３は、本発明の他の一実施形態によって、コンテンツ情報を共有するシステムを図示した構造図である。
【０１４４】
本発明の一実施形態によれば、外部デバイス１１０は、第１サービス提供サーバ１２１０で提供するサービスを介して、ユーザにコンテンツを提供することができる。また、外部デバイス１１０は、ユーザに提供されたコンテンツに係わるコンテンツ情報を含むタグ情報を、無線通信を介してブロードキャストする。
【０１４５】
デバイス１００は、外部デバイス１１０がブロードキャストしたタグ情報を受信する。デバイス１００は、受信されたタグ情報を直接解析し、ユーザにコンテンツを提供するか、あるいはサーバ１２００にコンテンツを要請することができる。
【０１４６】
本発明の実施形態によって、デバイス１００は、サーバ１２００にタグ情報を伝送する。
【０１４７】
コンテンツを要請されたサーバ１２００は、コンテンツリストまたはタグ情報と係わるサービスを利用するためのページを生成し、デバイス１００で提供することができる。
【０１４８】
サーバ１２００は、コンテンツを、デバイス１００に直接提供するか、あるいはデバイス１００にサービスを提供することができる第２サービス提供サーバ１２２０を介して、デバイス１００にコンテンツを提供することができる。
【０１４９】
サーバ１２００が、コンテンツをデバイス１００に直接提供しない場合、サーバ１２００には、デバイス１００が利用することができるサービスに係わる情報が保存されてもいる。そのとき、サーバ１２００は、デバイス１００が利用することができるサービスに係わる情報によって、第２サービス提供サーバ１２２０を識別し、第２サービス提供サーバ１２２０にコンテンツを要請することができる。
【０１５０】
図１４は、本発明の一実施形態によるデバイスの構造を図示した構造図である。
【０１５１】
本発明の一実施形態によるデバイス１００は、無線通信を行う無線通信部１３１０、コンテンツを出力することができる出力部１３２０、及び前記各部を制御する制御部１３００を含んでもよい。
【０１５２】
無線通信部１３１０は、外部デバイス１１０を利用して再生された少なくとも１つのコンテンツに係わる情報を受信する。
【０１５３】
本発明の一実施形態によれば、無線通信部１３１０は、外部デバイス１１０から近距離無線通信を介してブロードキャストされたパケットを受信する。
【０１５４】
また、無線通信部１３１０は、パケットを受信すると共に、デバイス１００で再生されたコンテンツに係わる情報をブロードキャストする。
【０１５５】
出力部１３２０は、映像や音響などコンテンツを出力する。例えば、出力部は、ＬＣＤ（liquid crystal display）のようなディスプレイ装置や、スピーカのような音響再生装置を具備することができる。
【０１５６】
制御部１３００は、無線通信部１３１０を介して受信された情報に係わるサービスをサーバに要請し、要請されたサービスを利用するための客体をサーバから受信し、受信された客体を、出力部を介して出力する。
【０１５７】
本発明の一実施形態によれば、制御部１３００は、パケットからタグ情報を獲得し、タグ情報に係わるサービスをサーバに要請し、サーバに要請したサービスに対する応答として受信された客体を、出力部１３２０を介して出力させる。
【０１５８】
ここで、タグ情報は、外部デバイス１１０を介して提供された少なくとも１つのコンテンツに係わる情報を含んでもよい。
【０１５９】
本発明の一実施形態によれば、制御部１３００は、デバイス１００にアカウントが保存されたサービスを介して、コンテンツを再生することができる。
【０１６０】
また、本発明の他の一実施形態によれば、制御部１３００は、デバイスにインストールされたアプリケーションのうち、コンテンツを再生することができるアプリケーションが存在するか否かを判断し、コンテンツを再生することができるアプリケーションを利用して、コンテンツを再生することができる。
【０１６１】
本発明の一実施形態によれば、デバイス１００は、無線通信部１３１０を介してコンテンツリストをサーバに伝送し、サーバから、コンテンツに係わる情報に基づいて生成された再生リストページを受信する。ここで、再生リストページは、コンテンツを再生するためのページを意味する。
【０１６２】
本発明の他の一実施形態によれば、制御部１３００は、無線通信部１３１０を介して受信されたパケットに含まれたコンテンツに係わる情報をサーバに伝送し、サーバから、コンテンツに係わる情報に基づいて生成されたコンテンツリストを受信する。制御部１３００は、受信されたコンテンツリストに含まれたコンテンツを、出力部を介して再生することができる。
【０１６３】
ここで、タグ情報は、パケットを送信した外部デバイス１１０の識別子（ＩＤ）を含んでもよい。そのとき、コンテンツリストは、外部デバイス１１０がサーバにアップロードしたコンテンツリストでもある。
【０１６４】
本発明のさらに他の実施形態によれば、制御部１３００は、近距離無線通信部１３１０を介して受信されたパケットに含まれたタグ情報と係わるアプリケーションを実行し、実行されたアプリケーションを利用して、出力部１３２０を介してタグ情報をディスプレイすることができる。
【０１６５】
ここで、タグ情報と係わるアプリケーションは、タグ情報を利用してコンテンツを提供することができるアプリケーションを意味する。
【０１６６】
本発明の一実施形態によれば、デバイス１００は、タグ情報をサーバに伝送し、サーバから、タグ情報に基づいて生成されたページを受信する。出力部１３２０は、受信されたページをディスプレイすることができる。ここで、タグ情報に基づいて生成されたページは、タグ情報を利用して、サービスを提供するためのページを意味する。例えば、タグ情報がゲームスコアである場合、ゲームスコアをディスプレイするためのページが、タグ情報に基づいて生成されたページでもある。
【０１６７】
図１５は、本発明の一実施形態による外部デバイスの構造を図示した構造図である。
【０１６８】
本発明の一実施形態による外部デバイス１１０は、無線通信を遂行する無線通信部１４１０、及び外部デバイス１１０の各構成部を制御する制御部１４００を含んでもよい。
【０１６９】
本発明の一実施形態によれば、無線通信部１４１０は、無線通信を介して、外部デバイス１１０で再生されたコンテンツに係わる情報を含むパケットをブロードキャストする。
【０１７０】
本発明の一実施形態によれば、制御部１４００は、外部デバイス１１０を介して提供されたコンテンツに係わるタグ情報を生成することができ、タグ情報を、近距離無線通信を介してブロードキャストされるパケットの特定フィールドに挿入することができる。
【０１７１】
また、本発明の一実施形態によれば、タグ情報は、外部デバイス１１０を介して提供されたコンテンツのメタデータから抽出された情報を含んでもよい。
【０１７２】
また、本発明の他の一実施形態によれば、タグ情報は、外部デバイスの識別子（ＩＤ）を含んでもよい。外部デバイス１１０は、サーバに、デバイスを介して提供されたコンテンツに係わる情報を、識別子（ＩＤ）とマッチングさせてアップロードすることができる。ここで、識別子（ＩＤ）は、サーバが、外部デバイス１１０を識別するための情報を意味する。
【０１７３】
図１６は、本発明の一実施形態によって、音楽コンテンツに係わるコンテンツ情報を共有する一例を図示した図面である。
【０１７４】
まず、デバイス１００は、近距離にある外部デバイス１１０と、音楽コンテンツの共有を行うためのユーザ・インターフェースを、ディスプレイすることができる。デバイス１００にディスプレイされたユーザ・インターフェースを介して、ユーザが、音楽共有メニューを選択することができる（Ｓ１５１０）。
【０１７５】
ユーザの入力によって、音楽共有メニューが選択された場合、デバイス１００は、デバイス１００で再生された音源に係わるタグ情報を、近距離無線通信を介してブロードキャストすることができる（Ｓ１５２０）。ここで、タグ情報は、歌の題目、アーティスト及びジャンルなどを含んでもよい。
【０１７６】
デバイス１００は、第１外部デバイス１１０−１、第２外部デバイス１１０−２及び第３外部デバイス１１０−３のように、近距離にある少なくとも１つの外部デバイスから、近距離無線通信を介して、タグ情報を受信する（Ｓ１５３０）。
【０１７７】
ここで、デバイス１００は、タグ情報、及びタグ情報に係わるサービスをサーバに要請することができる。その後、デバイス１００は、要請に対する応答として、サービス利用のための客体１５３５を受信し、受信された客体１５３５を出力する。本実施形態で、客体１５３５は、音楽リストを示すユーザ・インターフェースで構成されもする。ただし、本発明は、それに限定されるものではない。
【０１７８】
その後、デバイス１００は、受信されたタグ情報に基づいて、再生される音源を選択して再生する（Ｓ１５４０）。サーバ１５００を介して再生される音源を受信して再生することができる。
【０１７９】
図１７は、本発明の一実施形態によって、ゲームコンテンツに係わるコンテンツ情報を共有する一例を図示した図面である。
【０１８０】
デバイス１００がユーザにゲームコンテンツを提供し（Ｓ１６１０）、ユーザ・インターフェースを介して、ユーザから、ゲームコンテンツの利用結果を共有するためのメニューが選択された場合、デバイス１００は、タグ情報を、近距離無線通信を介してブロードキャストすることができる（Ｓ１６２０）。
【０１８１】
Ｓ１６２０段階で、ブロードキャストされるタグ情報は、ゲームコンテンツの利用結果によるゲームスコアを含んでもよい。
【０１８２】
その後、デバイス１００は、第１外部デバイス１１０−１、第２外部デバイス１１０−２及び第３外部デバイス１１０−３のように、近距離にある少なくとも１つの外部デバイスから、近距離無線通信を介してタグ情報を受信する（Ｓ１６３０）。
【０１８３】
Ｓ１６３０段階で、受信されたタグ情報は、第１外部デバイス１１０−１、第２外部デバイス１１０−２及び第３外部デバイス１１０−３を介してゲームコンテンツを利用した結果によるゲームスコアを含んでもよい。
【０１８４】
その後、デバイス１００は、受信されたタグ情報によって、近距離にある外部デバイスのユーザに係わるゲームスコアをディスプレイすることができる（Ｓ１６４０）。
【０１８５】
図１８は、本発明の一実施形態によって、運動関連コンテンツに係わるコンテンツ情報を共有する一例を図示した図面である。
【０１８６】
まず、デバイス１００は、運動関連アプリケーションを介して、運動記録を生成することができる。例えば、デバイス１００は、運動関連アプリケーションが実行されるにより、デバイス１００に具備されたＧＰＳ（global positioning system）受信機を介して受信されたＧＰＳ座標の移動距離を、運動記録として生成することができる。
【０１８７】
デバイス１００は、運動関連アプリケーションを介して生成された運動記録を含むタグ情報を、第１外部デバイス１１０−１、第２外部デバイス１１０−２及び第３外部デバイス１１０−３のように、近距離にある少なくとも１つの外部デバイスと共有することができる（Ｓ１７１０）
【０１８８】
デバイス１００は、外部デバイスと共有された運動記録の比較結果を出力することができる（Ｓ１７２０）。例えば、デバイス１００で生成された運動記録と、第１外部デバイス１１０−１、第２外部デバイス１１０−２及び第３外部デバイス１１０−３で生成された運動記録との順位を出力する。
【０１８９】
デバイス１００は、デバイス１００で生成された運動記録と、第１外部デバイス１１０−１、第２外部デバイス１１０−２及び第３外部デバイス１１０−３で生成された運動記録とのうち少なくとも一つを、サーバ１２００にアップデートすることができる。また、デバイス１００は、サーバから、運動記録と係わるサービスを提供される（Ｓ１７３０）。例えば、デバイス１００は、サーバから、運動記録によるおすすめ運動や健康管理サービスを提供される。
【０１９０】
図１９は、本発明の一実施形態によって、共有されたタグ情報を利用して、デバイスにサービスを提供するシステムを図示した図面である。
【０１９１】
本発明の一実施形態によれば、デバイス１００は、少なくとも１つの外部デバイス１１０と、近距離無線通信を介してタグ情報を共有することができる。そのとき、タグ情報は、デバイス１００または外部デバイス１１０を介して提供された少なくとも１つのコンテンツに係わる情報を含んでもよい。例えば、外部デバイス１１０を介して提供された歌の題目、アーティスト及びジャンルなどに係わる情報を含んでもよい。
【０１９２】
また、タグ情報は、デバイス１００または外部デバイス１１０を介して提供されたサービスの種類に係わる情報を含んでもよい。サービスの種類は、例えば、音源提供サービス、映像サービス、健康に係わるサービス、旅行関連サービス及び電子ブックサービスのように、デバイス１００または外部デバイス１１０を介して提供されたサービスを分類するための項目を意味することができる。
【０１９３】
音源提供サービスは、デバイス１００で、音源を再生可能にさせるサービスを意味する。映像サービスは、デバイス１００で、映像を再生可能にさせるサービスを意味する。健康に係わるサービスは、運動と係わる情報を提供するサービス、医師の診断のような医療関連サービス、または保険会社に健康関連情報を提供したり、あるいは提供されるサービスなどを意味する。旅行関連サービスは、空港、ホテルまたは交通などと係わるサービスを意味する。電子ブックサービスは、デバイス１００を介して電子ブックを提供するためのサービスを意味する。
【０１９４】
また、サーバ１２００は、デバイス１００がログインすることができるサービスに係わる情報を保存することができる。例えば、デバイス１００が、第１サービス提供サーバ１７１１を介して提供される第１音源提供サービスにログインした場合、サーバ１２００は、デバイス１００から、第１音源提供サービスにログインするためのアカウント情報を受信して保存することができる。
【０１９５】
また、サーバ１２００は、複数のサービス種類を含むサービスリスト１７００を保存することができる。サーバ１２００は、デバイス１００からタグ情報を受信する。サーバ１２００は、受信されたタグ情報を解析し、タグ情報によって、デバイス１００に提供されるコンテンツリストを決定することができる。ここで、サーバ１２００は、デバイス１００がログインすることができるサービスに係わる情報によって、デバイス１００がコンテンツリストを表示するための客体を、デバイス１００に提供することができる。ここで、コンテンツリストを表示するための客体は、ウィジェット（widget）またはサービスガジェット（service gadget）の形態で具現されもする。例えば、デバイス１００が、第１サービス提供サーバ１７１１を介して提供される第１音源提供サービスにログインするためのアカウント情報が、サーバ１２００に保存されている場合、サーバ１２００は、第１サービス提供サーバ１７１１を介して、コンテンツリストを表示するためのサービスガジェットを、デバイス１００に提供することができる。そのとき、サーバ１２００は、第１サービス提供サーバ１７１１に、タグ情報またはコンテンツリストを伝送する。
【０１９６】
図１９で、第１サービス提供サーバ１７１１、第２サービス提供サーバ１７１２及び第３サービス提供サーバ１７１３は、同一のサービス種類を提供するサーバであり、互いに異なるコンテンツ提供者を意味する。すなわち、第１サービス提供サーバ１７１１、第２サービス提供サーバ１７１２及び第３サービス提供サーバ１７１３は、互いに異なるアカウント情報を介して、デバイス１００にサービスを提供することができる。
【０１９７】
また、本発明の他の実施形態によれば、デバイス１００は、近距離無線通信を介して、外部デバイス１００の識別子（ＩＤ）を受信する。外部デバイス１００は、外部デバイス１００を介して提供されたコンテンツに係わる情報を、外部デバイスの識別子にマッチングさせ、サーバ１２００にアップロードすることができる。デバイス１００は、外部デバイス１００の識別子（ＩＤ）をサーバ１２００に伝送する。デバイス１００から受信された外部デバイス１００の識別子（ＩＤ）にマッチングされたコンテンツに係わる情報に基づいて、サーバ１２００は、デバイス１００に、サービスを提供するための客体を提供することができる。例えば、サーバ１２００は、外部デバイス１００で、音源サービスを介して再生された音源を再生するためのサービスガジェットを、デバイス１００に伝送する。
【０１９８】
本発明の一実施形態は、コンピュータによって実行されるプログラム・モジュールのようなコンピュータによって実行可能な命令語を含む記録媒体の形態でも具現される。コンピュータ可読媒体は、コンピュータによってアクセスされる任意の可用媒体でもあり、揮発性及び不揮発性の媒体、分離型及び非分離型の媒体をいずれも含む。また、コンピュータ可読媒体は、コンピュータ記録媒体及び通信媒体をいずれも含んでもよい。コンピュータ記録媒体は、コンピュータ可読命令語、データ構造、プログラム・モジュール、またはその他データのような情報保存のための任意の方法または技術で具現された揮発性及び不揮発性、分離型及び非分離型の媒体をいずれも含む。通信媒体は、典型的には、コンピュータ可読命令語、データ構造、プログラム・モジュール、搬送波のような変調されたデータ信号のその他データ、またはその他伝送メカニズムを含んで、任意の情報伝達媒体を含む。
【０１９９】
前述の本発明の説明は、例示のためのものであり、本発明が属する技術分野の当業者であるならば、本発明の技術的思想や必須な特徴を変更せずに、他の具体的な形態で容易に変形が可能であるということを理解することができるであろう。従って、以上で記述した実施形態は、全ての面で例示的なものであり、限定的ではないと理解しなければならない。例えば、単一型と説明されている各構成要素は、分散して実施されもし、同様に分散していると説明されている構成要素も、結合された形態で実施されもする。
【０２００】
本発明の範囲は、前述の詳細な説明であるとするより、特許請求の範囲によって示され、特許請求の範囲の意味及び範囲、そしてその均等概念から導き出される全ての変更または変形された形態は、本発明の範囲に含まれるものであると解釈されなければならない。
【産業上の利用可能性】
【０２０１】
本発明のサービスを提供する方法及びそのデバイスは、例えば、無線通信におけるサービス提供関連の技術分野に効果的に適用可能である。
【符号の説明】
【０２０２】
１００    デバイス
１１０    外部デバイス
１１０−１    第１外部デバイス
１１０−２    第２外部デバイス
１１０−３    第３外部デバイス
１２０，３５０    タグ情報
３１０    デバイスを介して提供されたコンテンツ
３２０    静的データ
３３０    動的データ
３４０    パケット
５００，７００，８００，１２００，１５００    サーバ
１２１０，１７１１    第１サービス提供サーバ
１２２０，１７１２    第２サービス提供サーバ
１３１０    無線通信部
１３００，１４００    制御部
１３２０    出力部
１５３５    客体
１７００    サービスリスト
１７１３    第３サービス提供サーバ
【図１】
2014149831.tif 000003
【図２】
2014149831.tif 000004
【図３】
2014149831.tif 000005
【図４】
2014149831.tif 000006
【図５】
2014149831.tif 000007
【図６】
2014149831.tif 000008
【図７】
2014149831.tif 000009
【図８】
2014149831.tif 000010
【図９】
2014149831.tif 000011
【図１０】
2014149831.tif 000012
【図１１】
2014149831.tif 000013
【図１２】
2014149831.tif 000014
【図１３】
2014149831.tif 000015
【図１４】
2014149831.tif 000016
【図１５】
2014149831.tif 000017
【図１６】
2014149831.tif 000018
【図１７】
2014149831.tif 000019
【図１８】
2014149831.tif 000020
【図１９】
2014149831.tif 000021